(57)【特許請求の範囲】
【請求項１】
パチンコ球を貯める球タンクと、
機内のパチンコ球をパチンコ機設置島内に排出する球抜き樋と、
モータの駆動でパチンコ球を放出する電動景品球ケースと、
前記球タンクと電動景品球ケースを結ぶと共に途中の底壁に球抜口を設けて該球抜口に前記球抜き樋を連通させた導出樋と、
前記導出樋の球抜口を開閉制御可能な球抜き装置と、
前記電動景品球ケースより下流にあって該電動景品球ケースから放出されるパチンコ球を受けて機前の球皿に導く景品球排出樋と、
前記景品球排出樋と前記球抜き樋を連通させて、前記電動景品球ケースから放出されるパチンコ球を球抜き樋側に案内する状態と、前記電動景品球ケースから放出されるパチンコ球を景品球排出樋を介して球皿に排出する状態と、の何れかに択一的に切り替え得る電動式の切替弁と、
球抜き操作を検知する球抜き用のセンサーとを備え、
遊技者に景品たるパチンコ球を払い出すために前記電動景品球ケースを作動させる場合にパチンコ球の流路が景品球排出樋になるように前記切替弁を設定すると共に、
前記球抜き用のセンサーが球抜き操作を検知した場合に前記電動景品球ケースから放出されるパチンコ球の流路が景品球排出樋から球抜き樋になるように前記切替弁を設定し、
前記球抜き装置より上流のパチンコ球を該球抜き装置で球抜き樋に流すと共に、球抜き装置より下流のパチンコ球を前記電動景品球ケースで球抜き樋に流すようにしたことを特徴とするパチンコ機。
【発明の詳細な説明】
【０００１】
【産業上の利用分野】
本発明は、パチンコ機内にプールされている景品球を抜き取り得るようにしたパチンコ機の改良構造に関する。
【０００２】
【従来の技術】
従来のパチンコ機は、前枠に穿設した小径の貫通孔と、パチンコ機内にプールされた景品球を抜き取る球抜き装置とを有し、前記貫通孔に針状の操作ピンを差し込んで球抜き装置を作動させ、以て、パチンコ機の表側から球抜き操作を行うようにしている。
前記球抜き装置は、球タンクと景品球ケースとを連絡する導出樋の底壁に開設した球抜口と、該球抜口を開閉する揺動自在な可動底板と、この可動底板をロックするロック部材と、そのロック部材を傾動させて可動底板のロックを解除する傾動可能な押動板とからなる。そして、球抜き装置の可動底板は、通常ロック部材でロックされていて球抜口を塞いだ状態にある。
而して、球抜口から景品球を抜き取る場合は、先ず、前記前枠の貫通孔に操作ピンを差し込んで押動板を傾動させる。この押動板の傾動に追従してロック部材も傾動する。そして、ロック部材が傾動すると、ロックが外れて球圧により可動底板が回動するため、球抜口から景品球が次々と落下する。なお、導出樋には球抜き樋が接続されており、球抜口から落下するパチンコ球はその球抜き樋を通ってパチンコ機設置島に戻る。
【０００３】
【発明が解決しようとする課題】
上記のような球抜き装置を設けたパチンコ機は、球抜口が景品球ケースのかなり手前に設けられているため、球抜き操作をしても景品球ケースと導出樋内に相当数の景品球が残ってしまう。従って、球抜きが不完全である。
【０００４】
【課題を解決するための手段】
パチンコ球を貯める球タンクと、
機内のパチンコ球をパチンコ機設置島内に排出する球抜き樋と、
モータの駆動でパチンコ球を放出する電動景品球ケースと、
前記球タンクと電動景品球ケースを結ぶと共に途中の底壁に球抜口を設けて該球抜口に前記球抜き樋を連通させた導出樋と、
前記導出樋の球抜口を開閉制御可能な球抜き装置と、
前記電動景品球ケースより下流にあって該電動景品球ケースから放出されるパチンコ球を受けて機前の球皿に導く景品球排出樋と、
前記景品球排出樋と前記球抜き樋を連通させて、前記電動景品球ケースから放出されるパチンコ球を球抜き樋側に案内する状態と、前記電動景品球ケースから放出されるパチンコ球を景品球排出樋を介して球皿に排出する状態と、の何れかに択一的に切り替え得る電動式の切替弁と、
球抜き操作を検知する球抜き用のセンサーとを備え、
遊技者に景品たるパチンコ球を払い出すために前記電動景品球ケースを作動させる場合にパチンコ球の流路が景品球排出樋になるように前記切替弁を設定すると共に、
前記球抜き用のセンサーが球抜き操作を検知した場合に前記電動景品球ケースから放出されるパチンコ球の流路が景品球排出樋から球抜き樋になるように前記切替弁を設定し、
前記球抜き装置より上流のパチンコ球を該球抜き装置で球抜き樋に流すと共に、球抜き装置より下流のパチンコ球を前記電動景品球ケースで球抜き樋に流すようにしたパチンコ機を提供する。
【０００５】
本発明のパチンコ機は、球抜き装置より下流のパチンコ球が電動景品球ケースで球抜きされるため、完全な球抜きが可能になる。
【０００６】
【実施例】
以下に本発明の基礎となるパチンコ機を図１〜図２２を参照しつつ説明する。
先ず、図１はパチンコ機の正面図、図２はパチンコ機の裏面図、図３は前枠を開いて示す斜視図、図４は前面板とガラス扉を開いて示すパチンコ機の下半部の斜視図である。
パチンコ機は、外枠１の前側一側に開閉自在に前枠２が蝶着されている。そして、その前枠２の表裏面に以下に説明する各部品が取り付けられている。
【０００７】
図１に示したように前枠２の表側には、前枠２の窓孔３を塞ぐガラス扉４と前面板５が夫々開閉自在に装着されている。そして、前面板５の前面に景品球を貯める上球皿６が、前枠２の表面下方に上球皿６から溢れた景品球を貯める下球皿７が設けられている。また、前枠２の一側上方には球抜き用の小径な貫通孔８が穿設され、さらに、前枠２のガラス扉４の上方には装飾ランプ９が装着されている。
なお、図４に示したように前面板５の裏面には、上球皿６と連通する打球自動供給装置１０が固着されている。
【０００８】
図２，３に示したように前枠２の裏側には、額縁状の中枠１１と、該中枠１１に着脱自在に嵌め込んだ遊技板１２と、中枠１１の一側縁に回動自在に蝶着した機構板１３が設けられている。
図５は裏側から見た中枠１１の斜視図である。中枠１１は合成樹脂の一体成形によって額縁状に形成されており、前記前枠２の窓孔３を裏側から囲う形状である。中枠１１には遊技板１２の厚みと略同じ奥行きの周壁１４と、該周壁１４に回動自在に枢着した押さえ金具１５が設けられている。そして、遊技板１２を周壁１４に嵌め込むと共に背面に押さえ金具１５を押し付けて、該遊技板１２を中枠１１に固定する。
【０００９】
一方、中枠１１の下辺には、遊技板１２の下端を受ける下部遊技板１１ａが形成されている。この下部遊技板１１ａは遊技板１２と略同じ厚みを有し、表面に金属板１６を貼着してなるものである。そして、図４に示したように、前記金属板１６に発射レール１７とファール球回収樋１８が固着されている。
下部遊技板１１ａには、遊技板１２の下面から排出されるアウト球を機構板１３に導くアウト球連絡通路１９がその中央部に、また、前記前面板５側に電気部品を設けた場合にその電気部品のケーブルをパチンコ機の裏側に導き出すためのケーブル挿通口２０が側方部に形成されている。
【００１０】
図６は前記ファール球回収樋１８を裏側から見た斜視図である。該ファール球回収樋１８は、ファール球が集まる出口部２１が下部遊技板１１ａの中央下部に開口するファール球通路２２（図５参照）に連通する。ファール球通路２２は下部遊技板１１ａの下縁に開口しており、その開口からファール球を前記下球皿７に排出する。
その他、中枠１１には機構板１３の蝶番ピン２３を受けるための蝶番金具２４、機構板１３を遊技板１２の裏面に重合固定するためのフック金具２５、遊技板１２の位置決めを正確にするためのダボ２６、及び、前記前枠２の貫通孔８に対応する横Ｕ字状の凹溝２７等が形成されている。
【００１１】
機構板１３は、一方の側縁に突設した蝶番ピン２３を前記中枠１１の蝶番金具２４の透孔に挿通させることによって中枠１１に回動自在に取り付けられている。そして、機構板１３に設けた締付具２８を中枠１１のフック金具２５に係合させることによって、遊技板１２の裏面に機構板１３を重合固定するのである。
機構板１３に取り付けられる部品は、入賞球処理関連部品と景品球放出処理関連部品にほぼ大別できる。そこで先ず、入賞球処理関連部品について、入賞球の発生から排出までの順に説明する。
【００１２】
ガイドレール２９によって円形に囲われた遊技部１２ａには、可変表示装置３０や複数の入賞口３１…等が設けられている。そして、その遊技部１２ａに対応する遊技板１２の裏側を囲うようにして機構板１３に凹状の入賞球集合部３２が形成されている。なお、この入賞球集合部３２には、遊技板１２に取り付ける大型の役物等をパチンコ機の裏側に突出させるため、図３に示したような広い開口３３が形成される。そこで、遊技板１２の裏面に集合カバー３４を固着して入賞球集合部３２の開口３３から入賞球がこぼれないようにしている。
一方、入賞球集合部３２の外側には、独立した入賞球樋３５が付設されている。この入賞球樋３５には、例えば図１の入賞口３１のうち、可変表示装置３０を作動させるための始動入賞口３１ａに入った入賞球が図２の連絡樋３６で導かれる。以下入賞球集合部３２に入った入賞球の流れる経路をメインルート、入賞球樋３５に入った入賞球が流れる経路をサブルートという。
【００１３】
前記入賞球集合部３２と入賞球樋３５は夫々景品球ケース始動装置３７に連通している。この景品球ケース始動装置３７は、メインルートとサブルートに対応するために２組あるが、両者は基本的に同じものを並設したに過ぎないものであるため、以下メインルートに対応する景品球ケース始動装置３７についてのみ説明する。
【００１４】
図７は景品球ケース始動装置３７を示す断面図である。この景品球ケース始動装置３７は従来公知のもので、図７鎖線のように、ハンマー体３８を球送りモータ３９で逆振り子運動させ、そのハンマー体３８の先端に流れ込む入賞球でリンク部材４０を傾動させ、以て後述する景品球ケース４１Ｍ作動用の作動杆４２を押し上げる。なお、ハンマー体３８で押し出された入賞球は、入賞球排出樋４３からパチンコ機設置島（図示せず）内に排出される。
【００１５】
次に景品球放出関連部品について景品球の流れに沿って説明する。
図８は球タンクを分離させて示す機構板と中枠の一部斜視図、図９は球タンク部分を示すパチンコ機の一部断面図、図１０は裏側から見た球タンクの斜視図である。
球タンク４４は機構板１３の上部一側寄りにビス止めされている。該球タンク４４の底壁４４ａには球切れ検知板４５が枢着されている。この球切れ検知板４５は、図１０に示したように機構板１３側に向かって作動腕４５ａを突設し、該作動腕４５ａで球切れ検出スイッチたるマイクロスイッチ４６のアクチュエータ片４６ａを押圧するようにしている。なお、マイクロスイッチ４６は機構板１３の切り欠孔４７から遊技板１２と対向する方向に臨んでいる。
【００１６】
一方、球タンク４４の底壁４４ａには下向きにスカート片４８が垂設されている。このスカート片４８は、図９に示したように、球タンク４４の底壁４４ａと、該球タンク４４から供給される景品球を流す導出樋４９との間の隙間を塞ぐことによって、景品球が団子状になって球詰まりを起こす、というようなトラブルを防止するためのものである。なお、導出樋４９が３条に仕切られているのは、前記メインルートとサブルートに対応するためのもので、遊技板１２寄りの２条がメインルートに対応し、外側の１条がサブルートに対応する。
【００１７】
図１１は景品球放出関連部品の主要部を示す断面図、図１２は同斜視図、図１３は図１２の斜視図から一部の部品（球抜き樋等）を取り外した斜視図である。景品球放出関連部品の主要部は、球抜き装置５０、球切れ検出装置、及び、景品球ケース４１Ｍとから構成される。
【００１８】
図１４は球抜き装置５０を拡大して示す断面図、図１５は球抜き装置５０を示す横断平面図、図１６は球抜き樋５１の斜視図である。
図１４に示したように導出樋４９の底壁４９ａに球抜口５２があり、該球抜口５２に可動底板５３が軸５４で揺動自在に枢着されている。この可動底板５３は軸５４から斜め下方に脚板５５を垂設してなるもので、該脚板５５のバランスにより無負荷状態で図１４時計回りに付勢されているが、可動底板５３上に景品球が載った図１４鎖線の状態では反時計回りに付勢される。
【００１９】
可動底板５３は、図１４実線のように脚板５５をロック部材５６の鍵部分に係合させて固定される。また、ロック部材５６は押動板５７によって制御される。すなわち、押動板５７は、機構板１３の側縁に突設した軸受け台５８に傾動可能に軸着したもので、該押動板５７から突出する連結杆５９の先端をロック部材５６に遊嵌させることによって、ロック部材５６を上下に揺動させる。
図１５に示したように押動板５７は、スプリング６０の作用で常態において起立している。一方、押動板５７は、前記前枠２の貫通孔８の中心を通る軸線上に位置しており、図１５鎖線のように貫通孔８から操作ピン６１を差し込んで押圧することにより傾動する。この押動板５７の傾動によって図１４鎖線のようにロック部材５６が下動し、可動底板５３のロックが外れて景品球が次々と落下する。また、一旦ロックが外れた可動底板５３を再びロックするには、景品球が抜けきった状態で押動板５７を再傾動させ、ロック部材５６を下動させれば自己のバランスで可動底板５３が図１４実線の姿勢に戻る。
【００２０】
球抜口５２の下には球抜き樋５１が臨んでいて、球抜口５２から落下する景品球が全てこの球抜き樋５１に流れ込む。図１６はその球抜き樋５１の斜視図である。球抜き樋５１はカバー部５１ａを一体に有しており、該カバー部５１ａで前記ロック部材５６をすっぽりと覆う。また、球抜き樋５１の下端は機構板１３側の球抜き樋６２に連通しており、球抜口５２から入った景品球が機構板１３の球抜き樋６２を通ってパチンコ機設置島内に排出される。
【００２１】
次に球切れ検出装置について説明する。図１７は球切れ検出装置を示す拡大した断面図である。球切れ検出装置は球圧検知片６３とマイクロスイッチ６４との組み合わせからなる。球圧検知片６３は、導出樋４９の屈曲部に揺動自在に枢着されており、景品球の球圧を受けて図１７の時計回りに傾動する。マイクロスイッチ６４は球圧検知片６３の後方に配置され、アクチュエータ片６４ａを球圧検知片６３に当接させている。
【００２２】
景品球が途切れることなく供給されている正常時には、図１７実線のように球圧検知片６３が球圧を受けてマイクロスイッチ６４のアクチュエータ片６４ａを押している。ところが、球タンク４４が空になったり、導出樋４９の途中に球詰まりが発生した場合には景品球の供給が途絶え、球圧検知片６３に球圧が加わらなくなる。そうすると、マイクロスイッチ６４のアクチュエータ片６４ａが球圧検知片６３を図１７鎖線のように反時計方向に回動させてＯＮし、球切れ信号を発する。この球切れ信号を受け、前記景品球ケース始動装置３７の球送りモータ３９を停止させる等の手段が実行される。
なお、球圧検知片６３及びマイクロスイッチ６４は導出樋４９の３条の球流路に対応して３組設けられている。そして、各マイクロスイッチ６４は直列に接続されており、ただ１つの球流路に球切れが発生した場合でも球切れ信号を発するようにしている。
【００２３】
次に景品球ケース４１Ｍについて説明する。図１８は景品球ケース４１Ｍを示す拡大した断面図、図１９は景品球ケース４１Ｍをさらに拡大した横断平面図、図２０は図１８のＸ−Ｘ線断面図である。
景品球ケース４１Ｍは３列の球通路６５，６５，６５と、２組の弁機構とからなる。機構板１３寄りの２列の球通路６５，６５は前記メインルートに対応し、機構板１３寄りの１つの弁機構によって２列同時に開閉制御される。また、残り１列の球通路６５は前記サブルートに対応し、１つの弁機構で開閉制御される。なお、図１８はサブルートに対応する球通路６５部分を断面にしたものである。
【００２４】
弁機構は、図１８実線のように球通路６５の上端を開閉する上方弁６６と、球通路６５の下端を開閉する下方弁６７と、該上方弁６６と下方弁６７とを制御する摺動子６８とからなる。
上方弁６６は、図１８の姿勢で反時計方向に回動するようにバランスされている。そして、上方弁６６は、図１８鎖線のようにその前端を下げた状態で導出樋４９の球出口を塞ぎ、球通路６５への景品球の流入を阻止し、同図実線のように前端を上げた状態で球通路６５の球入口を開放する。
一方、下方弁６７は、図１８において時計方向に回動するようバランスされている。そして、下方弁６７は、下に球止め爪６７ａが、上にローラ６７ｂが設けられている。
【００２５】
上記上方弁６６と下方弁６７を制御する摺動子６８は、球通路６５の外側に設けたレール枠６９に沿って上下方向に摺動するもので、該レール枠６９に嵌まる基板７０と、その基板７０上に突設した上凸部７１及び下凸部７２とから構成される。摺動子６８は常態で図１８実線の下降位置にある。この下降位置にある状態で、摺動子６８の上凸部７１が上方弁６６の後端に係合して球通路６５の球入口を開放すると共に、下凸部７２が下方弁６７のローラ６７ｂに当接して下方弁６７の回動を阻止し、球止め爪６７ａを球通路６５内に突出させて景品球を球通路６５内にプールする。
【００２６】
一方、摺動子６８は、作動アーム７３によって制御される。この作動アーム７３は、一端を機構板１３に軸着して揺動自在となし、他端を上凸部７１と下凸部７２との間に臨ましめて摺動子６８と係合する。作動アーム７３は、前記景品球ケース始動装置３７のリンク部材４０に対して作動杆４２で連結されており、入賞球が発生する度に上向き傾動して摺動子６８を上昇させる。このように摺動子６８が上昇すると、図１８鎖線のように上方弁６６が前端を下げて球通路６５の上端を塞ぐ。また、下凸部７２が下方弁６７のローラ６７ｂから外れるため、同図鎖線のように球止め爪６７ａに加わる球圧によって下方弁６７が回動し、景品球が放出される。そして、下方弁６７は、球通路６５内の景品球が全て放出されると自己のバランスにより同図実線の姿勢に復動する。
【００２７】
景品球ケース始動装置３７のリンク部材４０は、入賞球が入賞球排出樋４３に排出されると初期位置に復動するから、それに伴って作動アーム７３も水平姿勢に戻る。これによって摺動子６８が下動し、上方弁６６の前端を上げて球通路６５の球入口を開放すると共に、下方弁６７をロックして球通路６５内に景品球をプールする。
なお、図１９に示したようにレール枠６９は摺動子６８の基板７０に接する部分が弧状に丸められている。これにより基板７０に作用する摩擦抵抗が減少し、摺動子６８の移動が円滑になる。
【００２８】
以上景品球ケース４１Ｍについてサブルートに対応する部分を図示して説明した。
次に、景品球ケース４１Ｍのメインルートに対応する部分は、上方弁６６と下方弁６７が２列の球通路６５に跨っていて２列同時に制御される点、及び、下方弁６７の球止め爪６７ａの高さが球通路６５ごとに異なっていて、７個と６個の計１３個の景品球が一動作で放出される点を除き、他はサブルートに対応する部分の構造と同じである。但し、作動アーム７３とリンク部材４０を結ぶ作動杆４２は、図１３の斜視図及び図２０の断面図に示したように、メインルートに対応するものを機構板１３と遊技板１２の間に通し、サブルートに対応するものを球抜き樋６２の中を通すようにしている。なお、図１３，２０のように球抜き樋６２にコ字状のガイド金具７４を被せることによって、作動杆４２が球抜き樋６２の中に入り込まず、且つ、作動杆４２の動きが円滑になる効果がある。
【００２９】
図２１は機構板１３の下半部を示す斜視図、図２２は景品球排出樋７５の終端部を示す断面図である。
上記のようにして景品球ケース４１Ｍから放出された景品球は、景品球排出樋７５に流れる。景品球排出樋７５は、前記上球皿６と下球皿７に連通していて景品球を上球皿６と下球皿７に導く。
【００３０】
図２２に示したように景品球排出樋７５の下端には受圧板７６とマイクロスイッチ７７とからなる景品球のレベルセンサーが設けられている。
受圧板７６は景品球排出樋７５の内側に揺動自在に枢着されている。また、受圧板７６の上端は逆Ｌ字形に屈曲しており、その先端が景品球排出樋７５の外側に突出している。マイクロスイッチ７７は、景品球排出樋７５の外側にあって、受圧板７６の突出部分にアクチュエータ片７７ａを当接させている。受圧板７６は景品球排出樋７５との間に介装したスプリング７８の弾性により景品球排出樋７５の中央に向かって張り出すように傾動しており、この状態でマイクロスイッチ７７がＯＦＦとなっている。そして、景品球が図２２鎖線のように景品球排出樋７５内に充満してくると、受圧板７６が球圧で傾動し、マイクロスイッチ７７がＯＮして前記景品球ケース始動装置３７の球送りモータ３９等を停止させる。
【００３１】
なお、マイクロスイッチ７７のアクチュエータ片７７ａを景品球排出樋７５の横から突出する庇片７９が覆っているが、この庇片７９は、パチンコ機の裏側に予期せぬパチンコ球等が入り込んだ場合に、そのパチンコ球によってマイクロスイッチ７７が誤作動しないようにするためのものである。
その他、機構板１３には、前記球送りモータ３９等の配線用ターミナル８０ａ、タッチスイッチの制御基盤８０ｂ、入賞球集合部３２の開口周縁に形成したリード線収納溝８１等が形成されている。このリード線収納溝８１は、従来のような蓋を特に設けず、フック状の爪８２でリード線の束を安定させる構造を採用している。
【００３２】
而して、上記パチンコ機には球抜き用の貫通孔８に差し込まれる操作ピン６１を検出して電気信号を発するセンサー８３が設けられている。
センサー８３は、図１３〜１５に示したようにマイクロスイッチを使用し、機構板１３に形成した凹状の設置スペース８４にビス止めする。センサー８３のアクチュエータ片８３ａは前記球抜き装置５０の押動板５７に当接しており、押動板５７が僅かに傾動してもＯＮ作動する。
なお、センサー８３のリードワイヤー８３ｂは、設置スペース８４の奥の透孔８４ａから機構板１３と遊技板１２の間に導き、機構板１３上部の適宜な孔８５にコネクター等を設ける等して外部に引き出し配線する。
【００３３】
センサー８３は、球抜き装置５０の可動底板５３のロック・アンロックの状態表示に使用する。すなわち、球抜き装置５０の可動底板５３は、景品球を抜き終えた後も、次に押動板５７を押すまで球抜口５２を開放したままのアンロック状態にある。従って、球抜き終了後にもう一度操作ピン６１を差し込んで可動底板５３をロックしなければ、球タンク４４に景品球を補給しても球抜き樋５１から全部抜けてしまうことになる。そこで、センサー８３の１回目のＯＮ作動で可動底板５３がアンロック状態である旨を例えば前枠２に設けた装飾ランプ９の点滅で警告し、２回目のＯＮ作動によって装飾ランプ９を消し、可動底板５３がロック状態であることを表示する。
【００３４】
図２３は本発明の景品球放出関連部品の主要部を示す断面図である。
この場合のセンサー８３は、上記と同じ構成である。このパチンコ機は、サーボモータ８６で駆動する電動景品球ケース４１Ｅを使用し、さらに景品球排出樋７５に流路を切り替えるための切替弁８７が設けられる。切替弁８７は、図２３に示したように景品球排出樋７５の一側上部に傾動自在に取り付けられる。切替弁８７の中心軸８８にはロータリーソレノイド８９が直結しており、該ロータリーソレノイド８９に内蔵されたスプリング（図示せず）の付勢によって起立姿勢が保持される。また、切替弁８７は、ロータリーソレノイド８９の励磁によって同図鎖線のように傾動する。そして、切替弁８７が傾動した状態では電動景品球ケース４１Ｅから放出される景品球が切替弁８７の上面を伝って球抜き樋６２に流れ込む。
【００３５】
次に、図２３の球抜き操作について説明する。
先ず、貫通孔８に操作ピン６１を差し込むと上記と同様に押動板５７が傾動して球抜き樋５１から景品球が抜ける。この状態で上記パチンコ機では可動底板５３以降にある景品球が残こる。しかし、図２３のパチンコ機では、押動板５７の傾動に伴ってセンサー８３がＯＮすると、先ずロータリーソレノイド８９が働いて切替弁８７が傾動し、次に、サーボモータ８６が連続回転して残った景品球を放出する。従って、電動景品球ケース４１Ｅから放出された景品球が切替弁８７の上面を伝って球抜き樋５１に流れ込む。
なお、ロータリーソレノイド８９は、一定時間経過後に消磁するよう設定されている。従って、切替弁８７は景品球が全部抜けきってからロータリーソレノイド８９のスプリングの弾性により自動的に復動する。
【００３６】
図２４は別の景品球放出関連部品の主要部を示す断面図である。
この例は前記図２３のパチンコ機の構成から押動板５７のみを残して球抜き装置５０を取り除いたものであり、その他は図２３のパチンコ機と同じである。この例では全ての景品球が電動景品球ケース４１Ｅから抜き取られることになる。
【００３７】
なお、上記パチンコ機は、押動板５７を介してセンサー８３をＯＮさせる構成となっているが、もちろん押動板５７を設けないで、例えばセンサー８３のアクチュエータ片８３ａを操作ピン６１で直接押すようにしてもよい。また、センサー８３に近接スイッチを使用し、無接触で操作ピン６１を検出するようにしてもよい。
【００３８】
【発明の効果】
以上のように本発明のパチンコ機は、球抜き装置より上流のパチンコ球が該球抜き装置で球抜きされ、それより下流のパチンコ球が電動景品球ケースで球抜きされるため、完全な球抜きが可能になる、という効果がある。
【図面の簡単な説明】
【図１】  パチンコ機の正面図である。
【図２】  パチンコ機の裏面図である。
【図３】  パチンコ機の前枠を開いて示す斜視図である。
【図４】  前面板とガラス扉を開いて示すパチンコ機の下半部を示す斜視図である。
【図５】  裏側から見た中枠の分解斜視図である。
【図６】  ファール球回収樋を裏から見た斜視図である。
【図７】  景品球ケース始動装置を示す断面図である。
【図８】  球タンクを分離させて示す機構板と中枠の一部斜視図である。
【図９】  球タンク部分を示すパチンコ機の一部断面図である。
【図１０】  裏側から見た球タンクの斜視図である。
【図１１】  景品球放出関連部品の主要部を示す断面図である。
【図１２】  景品球放出関連部品の主要部を示す斜視図である。
【図１３】  図１２の斜視図から一部の部品を取り外した斜視図である。
【図１４】  球抜き装置を拡大して示す断面図である。
【図１５】  球抜き装置を示す横断平面図である。
【図１６】  球抜き樋の斜視図である。
【図１７】  球切れ検出装置を示す拡大した断面図である。
【図１８】  景品球ケースを示す拡大した断面図である。
【図１９】  景品球ケースを拡大した横断平面図である。
【図２０】  図１８のＸ−Ｘ線断面図である。
【図２１】  機構板の下半部を示す斜視図である。
【図２２】  景品球排出樋の終端部を示す断面図である。
【図２３】  景品球放出関連部品の主要部を示す断面図である。
【図２４】  景品球放出関連部品の主要部を示す断面図である。
【符号の説明】
４１Ｅ…電動景品球ケース
４４  …球タンク
４９  …導出樋
４９ａ…底壁
５０  …球抜き装置
５１  …球抜き樋
５２  …球抜口
６２  …球抜き樋
７５  …景品球排出樋
８３  …センサー
８７  …切替弁
【図１】
0004062926.tif 000002
【図２】
0004062926.tif 000003
【図３】
0004062926.tif 000004
【図４】
0004062926.tif 000005
【図５】
0004062926.tif 000006
【図６】
0004062926.tif 000007
【図７】
0004062926.tif 000008
【図８】
0004062926.tif 000009
【図９】
0004062926.tif 000010
【図１０】
0004062926.tif 000011
【図１１】
0004062926.tif 000012
【図１２】
0004062926.tif 000013
【図１３】
0004062926.tif 000014
【図１４】
0004062926.tif 000015
【図１５】
0004062926.tif 000016
【図１６】
0004062926.tif 000017
【図１７】
0004062926.tif 000018
【図１８】
0004062926.tif 000019
【図１９】
0004062926.tif 000020
【図２０】
0004062926.tif 000021
【図２１】
0004062926.tif 000022
【図２２】
0004062926.tif 000023
【図２３】
0004062926.tif 000024
【図２４】
0004062926.tif 000025